(57)【要約】【課題】  ハイブリッド記録媒体のバックアップを作成する場合、複製元記録媒体及び複製先記録媒体の読取専用領域に記録されている情報に基づいて複製元記録媒体のユーザ領域に記録されている記録情報を、複製先記録媒体のユーザ領域に記録することにより、簡単な方法で確実にバックアップディスクを作成することが可能なバックアップディスク作成装置及び方法を提供する。【解決手段】  バックアップディスク作成装置１０は、情報記録装置としての光ディスク装置２０と、この光ディスク装置２０を制御する情報処理装置としてのホスト８０とを含んで構成されている。なお、図１における接続線は、代表的な信号や情報の流れを示すものであり、各ブロックの接続関係の全てを表すものではない。そして光ディスク装置２０は、情報記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０、及びＲＡＭ４１などを備えて構成される。【選択図】  図１
2006127642.tif 000002
【特許請求の範囲】
【請求項１】
ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成装置であって、
複製元記録媒体と複製先記録媒体の読取専用領域に記録されている前記ディスク情報及びファイル・ディレクトリ情報の管理形態を示す管理情報を読み取る読取手段と、
該読取手段により読み取られたディスク情報に基づいて当該記録媒体がハイブリッド記録媒体であるか否かを判定する記録媒体判定手段と、
前記読取手段により読み取られた複製元記録媒体の管理情報と複製先記録媒体の管理情報とを比較する管理情報比較手段と、
前記各手段を制御する制御手段と、を備え、
前記記録媒体判定手段により前記複製元記録媒体と複製先記録媒体が共にハイブリッド記録媒体であると判定された場合、前記制御手段は、前記読取手段により当該複製元記録媒体の読取専用領域に記録されている管理情報とユーザ領域に記録されている記録情報を読み取ると共に、当該複製先記録媒体の読取専用領域に記録されている管理情報を読み取り、前記管理情報比較手段により前記複製元記録媒体の管理情報と前記複製先記録媒体の管理情報とを比較し、該比較の結果両管理情報が一致した場合、前記複製元記録媒体のユーザ領域に記録されている記録情報を前記複製先記録媒体のユーザ領域に記録するように制御することを特徴とするバックアップディスク作成装置。
【請求項２】
前記制御手段は、前記複製元記録媒体と複製先記録媒体の読取専用領域に記録されているファイル・フォルダの管理情報部分のセクタを読み出し、該セクタを比較することにより前記複製元記録媒体と複製先記録媒体の読取専用領域に同一の情報が記録されているか否かを判定することを特徴とする請求項１に記載のバックアップディスク作成装置。
【請求項３】
ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成装置であって、
複製元記録媒体と複製先記録媒体の読取専用領域に記録されている前記ディスク情報とファイル・ディレクトリ情報の管理形態を示す管理情報とを読み取る読取手段と、
該読取手段により読み取られたディスク情報に基づいて当該記録媒体がハイブリッド記録媒体であるか否かを判定する記録媒体判定手段と、
前記読取手段により読み取られた複製元記録媒体の読取専用領域の記憶容量情報と複製先記録媒体の読取専用領域の記憶容量情報とを比較する容量情報比較手段と、
前記各手段を制御する制御手段と、を備え、
前記記録媒体判定手段により前記複製元記録媒体と複製先記録媒体が共にハイブリッド記録媒体であると判定された場合、前記制御手段は、前記読取手段により当該複製元記録媒体の読取専用領域の記憶容量情報とユーザ領域に記録されている記録情報を読み取ると共に、当該複製先記録媒体の読取専用領域の記憶容量情報を読み取り、前記容量情報比較手段により前記複製元記録媒体の記憶容量情報と前記複製先記録媒体の記憶容量情報とを比較し、該比較の結果両記憶容量情報が一致した場合、前記複製元記録媒体のユーザ領域に記録されている記録情報を前記複製先記録媒体のユーザ領域に記録するように制御することを特徴とするバックアップディスク作成装置。
【請求項４】
ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成装置であって、
複製元記録媒体と複製先記録媒体の読取専用領域に記録されている前記ディスク情報とファイル・ディレクトリ情報の管理形態を示す管理情報とを読み取る読取手段と、
該読取手段により読み取られたディスク情報に基づいて当該記録媒体がハイブリッド記録媒体であるか否かを判定する記録媒体判定手段と、
前記読取手段により読み取られた複製元記録媒体の読取専用領域の記憶容量情報及びＩＤ情報と複製先記録媒体の読取専用領域の記憶容量情報及びＩＤ情報とを比較する容量ＩＤ情報比較手段と、
前記各手段を制御する制御手段と、を備え、
前記記録媒体判定手段により前記複製元記録媒体と複製先記録媒体が共にハイブリッド記録媒体であると判定された場合、前記制御手段は、前記読取手段により当該複製元記録媒体の読取専用領域の記憶容量情報及びＩＤ情報とユーザ領域に記録されている記録情報を読み取ると共に、当該複製先記録媒体の読取専用領域の記憶容量情報及びＩＤ情報を読み取り、前記容量ＩＤ情報比較手段により前記複製元記録媒体の記憶容量情報及びＩＤ情報と前記複製先記録媒体の記憶容量情報及びＩＤ情報とを比較し、該比較の結果両記憶容量情報及びＩＤ情報が一致した場合、前記複製元記録媒体のユーザ領域に記録されている記録情報を前記複製先記録媒体のユーザ領域に記録するように制御することを特徴とするバックアップディスク作成装置。
【請求項５】
ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成方法であって、
複製元記録媒体と複製先記録媒体の読取専用領域に記録されている前記ディスク情報とファイル・ディレクトリ情報の管理形態を示す管理情報とを読み取る読取ステップと、
該読取ステップにより読み取られたディスク情報に基づいて当該記録媒体がハイブリッド記録媒体であるか否かを判定する記録媒体判定ステップと、
前記読取ステップにより読み取られた複製元記録媒体の管理情報と複製先記録媒体の管理情報とを比較する管理情報比較ステップと、
前記各ステップを制御する制御ステップと、を備え、
前記記録媒体判定ステップにより前記複製元記録媒体と複製先記録媒体が共にハイブリッド記録媒体であると判定された場合、前記制御ステップは、前記読取ステップにより当該複製元記録媒体の読取専用領域に記録されている管理情報とユーザ領域に記録されている記録情報を読み取ると共に、当該複製先記録媒体の読取専用領域に記録されている管理情報を読み取り、前記管理情報比較ステップにより前記複製元記録媒体の管理情報と前記複製先記録媒体の管理情報とを比較し、該比較の結果両管理情報が一致した場合、前記複製元記録媒体のユーザ領域に記録されている記録情報を前記複製先記録媒体のユーザ領域に記録するように制御することを特徴とするバックアップディスク作成方法。
【請求項６】
ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成方法であって、
複製元記録媒体と複製先記録媒体の読取専用領域に記録されている前記ディスク情報とファイル・ディレクトリ情報の管理形態を示す管理情報とを読み取る読取ステップと、
該読取ステップにより読み取られたディスク情報に基づいて当該記録媒体がハイブリッド記録媒体であるか否かを判定する記録媒体判定ステップと、
前記読取ステップにより読み取られた複製元記録媒体の読取専用領域の記憶容量情報と複製先記録媒体の読取専用領域の記憶容量情報とを比較する記憶容量情報比較ステップと、
前記各ステップを制御する制御ステップと、を備え、
前記記録媒体判定ステップにより前記複製元記録媒体と複製先記録媒体が共にハイブリッド記録媒体であると判定された場合、前記制御ステップは、前記読取ステップにより当該複製元記録媒体の読取専用領域の記憶容量情報とユーザ領域に記録されている記録情報を読み取ると共に、当該複製先記録媒体の読取専用領域の記憶容量情報を読み取り、前記記憶容量情報比較ステップにより前記複製元記録媒体の記憶容量情報と前記複製先記録媒体の記憶容量情報とを比較し、該比較の結果両記憶容量情報が一致した場合、前記複製元記録媒体のユーザ領域に記録されている記録情報を前記複製先記録媒体のユーザ領域に記録するように制御することを特徴とするバックアップディスク作成方法。
【請求項７】
ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成方法であって、
複製元記録媒体と複製先記録媒体の読取専用領域に記録されている前記ディスク情報とファイル・ディレクトリ情報の管理形態を示す管理情報とを読み取る読取ステップと、
該読取ステップにより読み取られたディスク情報に基づいて当該記録媒体がハイブリッド記録媒体であるか否かを判定する記録媒体判定ステップと、
前記読取ステップにより読み取られた複製元記録媒体の読取専用領域の記憶容量情報及びＩＤ情報と複製先記録媒体の読取専用領域の記憶容量情報及びＩＤ情報とを比較する容量ＩＤ情報比較ステップと、
前記各ステップを制御する制御ステップと、を備え、
前記記録媒体判定ステップにより前記複製元記録媒体と複製先記録媒体が共にハイブリッド記録媒体であると判定された場合、前記制御ステップは、前記読取ステップにより当該複製元記録媒体の読取専用領域の記憶容量情報及びＩＤ情報とユーザ領域に記録されている記録情報を読み取ると共に、当該複製先記録媒体の読取専用領域の記憶容量情報及びＩＤ情報を読み取り、前記容量ＩＤ情報比較ステップにより前記複製元記録媒体の記憶容量情報及びＩＤ情報と前記複製先記録媒体の記憶容量情報及びＩＤ情報とを比較し、該比較の結果両記憶容量情報及びＩＤ情報が一致した場合、前記複製元記録媒体のユーザ領域に記録されている記録情報を前記複製先記録媒体のユーザ領域に記録するように制御することを特徴とするバックアップディスク作成方法。
【請求項８】
請求項５乃至７の何れか一項に記載のバックアップディスク作成方法をコンピュータが制御可能にプログラミングしたことを特徴とするバックアップディスク作成プログラム。
【請求項９】
請求項８に記載のバックアップディスク作成プログラムをコンピュータが読み取り可能な形式で記録したことを特徴とする記録媒体。
【発明の詳細な説明】
【技術分野】
【０００１】
本発明は、バックアップディスク作成装置及びバックアップディスク作成方法に関し、さらに詳しくは、ハイブリッド記録媒体のバックアップを作成する装置及び作成方法であって、複製元記録媒体及び複製先記録媒体の読取専用領域に記録されている管理情報に基づいて複製元記録媒体のユーザ領域に記録されている記録情報を、複製先記録媒体のユーザ領域に記録するバックアップディスク作成装置及びバックアップディスク作成方法に関するものである。
【背景技術】
【０００２】
従来、アプリケーションソフトウェア、静止画、動画などのコンテンツは、ＣＤ−ＲＯＭなどの媒体に記録されて配布（販売）されるのが一般的である。中でもコンパクトディスク（ＣＤ）の分野では、近年、読取専用領域（以下ＲＯＭ部と呼ぶ）と、書き込み可能領域もしくは書き換え可能領域（以下ＲＡＭ部と呼ぶ）を持つハイブリッドディスクが開発されており、このハイブリッドディスクをＣＤ−ＲＯＭの代替として、このハイブリッドディスクのＲＯＭ部に予めコンテンツを書き込んだ状態で配布（販売）することが提案されている。このようなハイブリッドディスクでは、既存のディスクとの互換性を確保するために、ファーストセッションをＲＯＭ部としてスタンプし、それ以降の領域をＲＡＭ部として扱うものがある。こうすることにより、ハイブリッドディスクを認識できないシステムにおいても、当該ディスクをマルチセッション記録されたディスクとして取り扱うことが可能となるので、少なくとも読み取り互換性を確保することが可能となる。
また、ハイブリッドディスクに関しては、その他のＣＤ媒体（ＣＤ−ＲＯＭ、ＣＤ−Ｒ、ＣＤ−ＲＷなど）と区別するための方法として、ハイブリッドディスク上にハイブリッドディスクであることを示す情報がスタンプされているという方法が提案されている。このようなＣＤ媒体のディスクでは、記録されているデータがデジタルデータであり、複製による劣化が生じないことから、バックアップを作成して原本の保全を行うケースが多く見うけられる。これらのバックアップ作成には、記録済み媒体を、未記録媒体に複製するケースが一般的である。
このようなハイブリッドディスクのバックアップ技術として特開２００４−０７０９９９公報においては、ハイブリッドディスクのバックアップアプリケーションが開示されている。ここでは、複製先の媒体がハイブリッドディスクであること、もしくはＲＯＭ領域の情報を検証してバックアップを作成することを提案しているが、例えば、特開２００２−２６０３２９公報にあるようなプログラムでは、バックアップしたディスクが使用できない可能性がある。
これに対し、同一出願人による特開２００４−２４１００６公報では、バックアップ元とバックアップ先ハイブリッドディスクの基盤情報の一致を確認し、バックアップを行う方法が提案されている。
【特許文献１】特開２００４−０７０９９９公報
【特許文献２】特開２００２−２６０３２９公報
【特許文献３】特開２００４−２４１００６公報
【発明の開示】
【発明が解決しようとする課題】
【０００３】
しかし、従来のハイブリッドディスクのバックアップ方法においては、複製先のディスクはＣＤ−ＲもしくはＣＤ−ＲＷディスクであり、ハイブリッドディスクではないため、例えばハイブリッドディスク特有の情報を使用してプロテクトが掛けられているような場合には、バックアップとして使用することはできない。
また、複製先のディスクにハイブリッドディスクを使用する場合、記録済み媒体を一部記録済みの媒体へコピーすることになるが、従来のバックアップアプリケーションでは、このようなケースは考慮されていない。
また、特許文献１〜３に開示されている従来技術は、いずれもＲＯＭ部に同一情報が記録されていることを前提としているが、その手法に関して明確ではなかった。
本発明は、かかる課題に鑑み、ハイブリッド記録媒体のバックアップを作成する場合、複製元記録媒体及び複製先記録媒体の読取専用領域に記録されている情報に基づいて複製元記録媒体のユーザ領域に記録されている記録情報を、複製先記録媒体のユーザ領域に記録することにより、簡単な方法で確実にバックアップディスクを作成することが可能なバックアップディスク作成装置及び方法を提供することを目的とする。
【課題を解決するための手段】
【０００４】
本発明はかかる課題を解決するために、請求項１は、ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成装置であって、複製元記録媒体と複製先記録媒体の読取専用領域に記録されている前記ディスク情報及びファイル・ディレクトリ情報の管理形態を示す管理情報を読み取る読取手段と、該読取手段により読み取られたディスク情報に基づいて当該記録媒体がハイブリッド記録媒体であるか否かを判定する記録媒体判定手段と、前記読取手段により読み取られた複製元記録媒体の管理情報と複製先記録媒体の管理情報とを比較する管理情報比較手段と、前記各手段を制御する制御手段と、を備え、前記記録媒体判定手段により前記複製元記録媒体と複製先記録媒体が共にハイブリッド記録媒体であると判定された場合、前記制御手段は、前記読取手段により当該複製元記録媒体の読取専用領域に記録されている管理情報とユーザ領域に記録されている記録情報を読み取ると共に、当該複製先記録媒体の読取専用領域に記録されている管理情報を読み取り、前記管理情報比較手段により前記複製元記録媒体の管理情報と前記複製先記録媒体の管理情報とを比較し、該比較の結果両管理情報が一致した場合、前記複製元記録媒体のユーザ領域に記録されている記録情報を前記複製先記録媒体のユーザ領域に記録するように制御することを特徴とする。
本発明は、マルチセッションにより記録された記録媒体の読取専用領域に記録された管理情報を比較することにより、バックアップが可能か否かを判断するものである。即ち、複製元の記録媒体の管理情報及びユーザ領域に記録されている記録情報を読み取り、更に複製先の記録媒体の管理情報を読み取り、両記録媒体の管理情報が一致した場合に限り、複製元の記録媒体のユーザ領域の記録情報を複製先の記録媒体のユーザ領域に記録するものである。
【０００５】
請求項２は、前記制御手段は、前記制御手段は、前記複製元記録媒体と複製先記録媒体の読取専用領域に記録されているファイル・フォルダの管理情報部分のセクタを読み出し、該セクタを比較することにより前記複製元記録媒体と複製先記録媒体の読取専用領域に同一の情報が記録されているか否かを判定することを特徴とする。
管理情報の代わりに読取専用領域の全セクタをそれぞれ読み込み、比較するものである。一例としてプログラムエリアを用いる場合がある。
請求項３は、ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成装置であって、複製元記録媒体と複製先記録媒体の読取専用領域に記録されている前記ディスク情報とファイル・ディレクトリ情報の管理形態を示す管理情報とを読み取る読取手段と、該読取手段により読み取られたディスク情報に基づいて当該記録媒体がハイブリッド記録媒体であるか否かを判定する記録媒体判定手段と、前記読取手段により読み取られた複製元記録媒体の読取専用領域の記憶容量情報と複製先記録媒体の読取専用領域の記憶容量情報とを比較する記憶容量情報比較手段と、前記各手段を制御する制御手段と、を備え、前記記録媒体判定手段により前記複製元記録媒体と複製先記録媒体が共にハイブリッド記録媒体であると判定された場合、前記制御手段は、前記読取手段により当該複製元記録媒体の読取専用領域の記憶容量情報とユーザ領域に記録されている記録情報を読み取ると共に、当該複製先記録媒体の読取専用領域の記憶容量情報を読み取り、前記記憶容量情報比較手段により前記複製元記録媒体の記憶容量情報と前記複製先記録媒体の記憶容量情報とを比較し、該比較の結果両記憶容量情報が一致した場合、前記複製元記録媒体のユーザ領域に記録されている記録情報を前記複製先記録媒体のユーザ領域に記録するように制御することを特徴とする。
本発明は、マルチセッションにより記録された記録媒体の読取専用領域の記憶容量情報を比較することにより、バックアップが可能か否かを判断するものである。即ち、複製元の記録媒体の記憶容量情報及びユーザ領域に記録されている記録情報を読み取り、更に複製先の記録媒体の記憶容量情報を読み取り、両記録媒体の記憶容量情報が一致した場合に限り、複製元の記録媒体のユーザ領域の記録情報を複製先の記録媒体のユーザ領域に記録するものである。
【０００６】
請求項４は、ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成装置であって、複製元記録媒体と複製先記録媒体の読取専用領域に記録されている前記ディスク情報とファイル・ディレクトリ情報の管理形態を示す管理情報とを読み取る読取手段と、該読取手段により読み取られたディスク情報に基づいて当該記録媒体がハイブリッド記録媒体であるか否かを判定する記録媒体判定手段と、前記読取手段により読み取られた複製元記録媒体の読取専用領域の容量情報及びＩＤ情報と複製先記録媒体の読取専用領域の容量情報及びＩＤ情報とを比較する容量ＩＤ情報比較手段と、前記各手段を制御する制御手段と、を備え、前記記録媒体判定手段により前記複製元記録媒体と複製先記録媒体が共にハイブリッド記録媒体であると判定された場合、前記制御手段は、前記読取手段により当該複製元記録媒体の読取専用領域の容量情報及びＩＤ情報とユーザ領域に記録されている記録情報を読み取ると共に、当該複製先記録媒体の読取専用領域の容量情報及びＩＤ情報を読み取り、前記容量ＩＤ情報比較手段により前記複製元記録媒体の容量情報及びＩＤ情報と前記複製先記録媒体の容量情報及びＩＤ情報とを比較し、該比較の結果両容量情報及びＩＤ情報が一致した場合、前記複製元記録媒体のユーザ領域に記録されている記録情報を前記複製先記録媒体のユーザ領域に記録するように制御することを特徴とする。
本発明は、マルチセッションにより記録された記録媒体の読取専用領域の記憶容量情報及びＩＤ情報を比較することにより、バックアップが可能か否かを判断するものである。即ち、複製元の記録媒体の記憶容量情報及びＩＤ情報とユーザ領域に記録されている記録情報を読み取り、更に複製先の記録媒体の記憶容量情報及びＩＤ情報を読み取り、両記録媒体の記憶容量情報及びＩＤ情報が一致した場合に限り、複製元の記録媒体のユーザ領域の記録情報を複製先の記録媒体のユーザ領域に記録するものである。
【０００７】
請求項５は、ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成方法であって、複製元記録媒体と複製先記録媒体の読取専用領域に記録されている前記ディスク情報とファイル・ディレクトリ情報の管理形態を示す管理情報とを読み取る読取ステップと、該読取ステップにより読み取られたディスク情報に基づいて当該記録媒体がハイブリッド記録媒体であるか否かを判定する記録媒体判定ステップと、前記読取ステップにより読み取られた複製元記録媒体の管理情報と複製先記録媒体の管理情報とを比較する管理情報比較ステップと、前記各ステップを制御する制御ステップと、を備え、前記記録媒体判定ステップにより前記複製元記録媒体と複製先記録媒体が共にハイブリッド記録媒体であると判定された場合、前記制御ステップは、前記読取ステップにより当該複製元記録媒体の読取専用領域に記録されている管理情報とユーザ領域に記録されている記録情報を読み取ると共に、当該複製先記録媒体の読取専用領域に記録されている管理情報を読み取り、前記管理情報比較ステップにより前記複製元記録媒体の管理情報と前記複製先記録媒体の管理情報とを比較し、該比較の結果両管理情報が一致した場合、前記複製元記録媒体のユーザ領域に記録されている記録情報を前記複製先記録媒体のユーザ領域に記録するように制御することを特徴とする。
本発明は請求項１と同様の作用効果を奏する。
【０００８】
請求項６は、ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成方法であって、複製元記録媒体と複製先記録媒体の読取専用領域に記録されている前記ディスク情報とファイル・ディレクトリ情報の管理形態を示す管理情報とを読み取る読取ステップと、該読取ステップにより読み取られたディスク情報に基づいて当該記録媒体がハイブリッド記録媒体であるか否かを判定する記録媒体判定ステップと、前記読取ステップにより読み取られた複製元記録媒体の読取専用領域の記憶容量情報と複製先記録媒体の読取専用領域の記憶容量情報とを比較する記憶容量情報比較ステップと、前記各ステップを制御する制御ステップと、を備え、前記記録媒体判定ステップにより前記複製元記録媒体と複製先記録媒体が共にハイブリッド記録媒体であると判定された場合、前記制御ステップは、前記読取ステップにより当該複製元記録媒体の読取専用領域の記憶容量情報とユーザ領域に記録されている記録情報を読み取ると共に、当該複製先記録媒体の読取専用領域の記憶容量情報を読み取り、前記記憶容量情報比較ステップにより前記複製元記録媒体の記憶容量情報と前記複製先記録媒体の記憶容量情報とを比較し、該比較の結果両記憶容量情報が一致した場合、前記複製元記録媒体のユーザ領域に記録されている記録情報を前記複製先記録媒体のユーザ領域に記録するように制御することを特徴とする。
本発明は請求項３と同様の作用効果を奏する。
【０００９】
請求項７は、ファーストセッションを読取専用領域としてスタンプし、それ以降の領域を記録可能なユーザ領域としたマルチセッションにより記録された記録媒体に、ハイブリッド記録媒体であることを示すディスク情報がスタンプされたハイブリッド記録媒体のバックアップディスク作成方法であって、複製元記録媒体と複製先記録媒体の読取専用領域に記録されている前記ディスク情報とファイル・ディレクトリ情報の管理形態を示す管理情報とを読み取る読取ステップと、該読取ステップにより読み取られたディスク情報に基づいて当該記録媒体がハイブリッド記録媒体であるか否かを判定する記録媒体判定ステップと、前記読取ステップにより読み取られた複製元記録媒体の読取専用領域の記憶容量情報及びＩＤ情報と複製先記録媒体の読取専用領域の記憶容量情報及びＩＤ情報とを比較する容量ＩＤ情報比較ステップと、前記各ステップを制御する制御ステップと、を備え、前記記録媒体判定ステップにより前記複製元記録媒体と複製先記録媒体が共にハイブリッド記録媒体であると判定された場合、前記制御ステップは、前記読取ステップにより当該複製元記録媒体の読取専用領域の記憶容量情報及びＩＤ情報とユーザ領域に記録されている記録情報を読み取ると共に、当該複製先記録媒体の読取専用領域の記憶容量情報及びＩＤ情報を読み取り、前記容量ＩＤ情報比較ステップにより前記複製元記録媒体の記憶容量情報及びＩＤ情報と前記複製先記録媒体の記憶容量情報及びＩＤ情報とを比較し、該比較の結果両記憶容量情報及びＩＤ情報が一致した場合、前記複製元記録媒体のユーザ領域に記録されている記録情報を前記複製先記録媒体のユーザ領域に記録するように制御することを特徴とする。
本発明は請求項４と同様の作用効果を奏する。
請求項８は、請求項５乃至７の何れか一項に記載のバックアップディスク作成方法をコンピュータが制御可能にプログラミングしたことを特徴とする。
請求項９は、請求項８に記載のバックアップディスク作成プログラムをコンピュータが読み取り可能な形式で記録したことを特徴とする。
【発明の効果】
【００１０】
請求項１、５の発明によれば、複製元及び複製先の記録媒体が共にハイブリッド記録媒体であり、複製元と複製先の読み取り専用領域に記録されている管理情報が同一であった場合に限り、複製元記録媒体のユーザ領域に記録されている記録情報を複製先記録媒体のユーザ領域に記録するので、複製元と複製先のハイブリッド記録媒体の読み取り専用領域に、同一の情報が記録されているかどうかを確認する方法が明らかになった。これにより他の記録媒体との互換性を保ちながらハイブリッド記録媒体のバックアップを作成することができる。
また請求項２では、管理情報の代わりに全セクタを読み込んで比較するので、比較が容易となりまた比較の効率を高めることができる。
また請求項３、６では、複製元及び複製先の記録媒体が共にハイブリッド記録媒体であり、複製元と複製先の読み取り専用領域の記憶容量が同一であった場合に限り、複製元記録媒体のユーザ領域に記録されている記録情報を複製先記録媒体のユーザ領域に記録するので、管理情報を比較する方法よりも短い時間で、読み取り専用領域に記録されている情報の一致を確認することが可能となり、簡単な方法でしかも他の記録媒体との互換性を保ちながらハイブリッド記録媒体のバックアップを作成することができる。
また請求項４、７では、複製元及び複製先の記録媒体が共にハイブリッド記録媒体であり、複製元と複製先の読み取り専用領域の記憶容量及びＩＤが同一であった場合に限り、複製元記録媒体のユーザ領域に記録されている記録情報を複製先記録媒体のユーザ領域に記録するので、読み取り専用領域の記憶容量を比較する方法に比べて、読み取り専用領域に記録されている情報一致の確認精度を向上させることができる。
また請求項８では、本発明のバックアップディスク方法をコンピュータが制御可能なＯＳに従ってプログラミングすることにより、そのＯＳを備えたコンピュータであれば同じ処理方法により制御することができる。
また請求項９では、バックアップディスプログラムをコンピュータが読み取り可能な形式で記録媒体に記録することにより、この記録媒体を持ち運ぶことにより何処でもプログラムを稼動することができる。
【発明を実施するための最良の形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係るバックアップディスク作成装置１０の概略構成図である。この図１に示されるバックアップディスク作成装置１０は、情報記録装置としての光ディスク装置２０と、この光ディスク装置２０を制御する情報処理装置としてのホスト８０とを含んで構成されている。なお、図１における接続線は、代表的な信号や情報の流れを示すものであり、各ブロックの接続関係の全てを表すものではない。そして光ディスク装置２０は、情報記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０、及びＲＡＭ４１などを備えて構成される。
なお、図１における接続線は、代表的な信号や情報の流れを示すものであり、各ブロックの接続関係の全てを表すものではない。また、光ディスク装置２０は、一例としてＣＤ系の規格に準拠した情報記録媒体に対応しているものとする。
また光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、検出レンズ５８、受光器５９、及び駆動系（フォーカシングアクチュエータ、トラッキングアクチュエータ及びシークモータ（いずれも図示省略））などを備えている。
光源ユニット５１は、波長が７８０ｎｍの光ビームを発光する光源としての半導体レーザ（図示省略）を含んで構成されている。なお、本実施形態では、光源ユニット５１から出射される光ビームの最大強度出射方向を＋Ｘ方向とする。
コリメートレンズ５２は、光源ユニット５１の＋Ｘ側に配置され、光源ユニット５１から出射された光ビームを略平行光とする。またビームスプリッタ５４は、コリメートレンズ５２の＋Ｘ側に配置され、光ディスク１５からの戻り光を−Ｚ方向に分岐する。また対物レンズ６０は、ビームスプリッタ５４の＋Ｘ側に配置され、ビームスプリッタ５４を透過した光ビームを集光し、光ディスク１５の記録面に光スポットを形成する。
また検出レンズ５８は、ビームスプリッタ５４の−Ｚ側に配置され、ビームスプリッタ５４で分岐された戻り光を受光器５９の受光面に集光する。受光器５９は、通常の光ピックアップ装置と同様に、ウォブル信号情報、再生データ情報、フォーカスエラー情報及びトラックエラー情報などを含む複数の信号を再生信号処理回路２８に出力する。
【００１２】
図３は、ハイブリッドディスクの説明図である。ハイブリッドディスクは予めアプリケーションソフトウェアやデータがスタンプされた読み取り専用領域（以下、ＲＯＭ部と記す）１と、書き込み可能領域（以下、ＲＡＭ部と記す）２を備えている。また、このハイブリッドディスクには、当該ディスク上に、ハイブリッドディスクであることを示す情報がスタンプされて形成されている。この情報の例としては、ＡＴＩＰ（Absolute Time In Pre-groove）のDisc Application Codeなどがある。
図４は、光ディスク１５（例としてＣＤをあげる）の物理フォーマットである。Lead-In Area（リードインエリア）３、Program Area（プログラムエリア）４、Lead-Out Area（リードアウトエリア）５から構成され、光ディスクに記録されている基板情報としては、リードインスタート時間、リードアウトスタート時間、記録ストラテジのパラメータ等がある。そしてリードインスタート時間は、ベンダコードとして各メーカ固有の時間が設定され、またリードアウトスタート時間は記録容量に対応した値が設定され、これらの基板情報は他の光ディスクにコピーすることはできない。
図５は、ＣＤで良く用いられるＩＳＯ９６６０を用いたファイル・ディレクトリ情報の管理形態の一例である。ここで、ＶＤはVolume Descriptorを、ＰＴはPath Tableを、ＤＲはDirectory Recordを、ＦＥはFile Extentを示す。これらは、図４のProgram Area４に記録されており、ＶＤの記録位置は固定である。そしてＶＤは、以降のファイルやフォルダ等のボリューム情報が記録される。ここには、ルートディレクトリ情報や、Path Tableの位置、大きさなどが記録されている。またＰＴは、ボリューム内に含まれる各ディレクトリの位置などの情報が記録されている。またＤＲは、当該ディレクトリに含まれるファイル・ディレクトリの位置や大きさなどの情報が記録されている。またＦＥは、ファイルの実体（中身）が記録されている。
【００１３】
図７は本発明の第１の実施形態に係るバックアップディスク作成方法を説明するフローチャートである。
このフローチャートは、図１のＭＰＵ８２ａによって実行される一連の処理アルゴリズムに対応している。まずユーザが入力装置８５を介してバックアップディスクの作成を指示すると、図７のフローチャートに対応するプログラムがＨＤＤ８４からメインメモリ８２ｂにロードされるとともに、その先頭アドレスがＭＰＵ８２ａのプログラムカウンタにセットされ、処理がスタートする。バックアップされる光ディスク（以下、複製元ディスクと記す）の光ディスク装置２０への挿入をユーザに促すためのメッセージを表示装置８６に表示する（Ｓ１）。次に、複製元ディスクが光ディスク装置２０に挿入されているか否かを判断する（Ｓ２）。光ディスク装置２０から複製元ディスクが挿入されたとの通知を受信すると（Ｓ２でＹＥＳのルート）、光ディスク装置２０を介して複製元ディスクに記録されているディスク情報を取得する（Ｓ３）。次に、複製元ディスクのディスク情報を参照し、複製元ディスクがハイブリッドディスクであるか否かを判断する（Ｓ４）。ここで、複製元ディスクがハイブリッドディスクでなければ（Ｓ４でＮＯのルート）、複製元ディスクがハイブリッドディスクでない旨を示すメッセージを表示装置８６に表示し、処理を終了する。すなわち、バックアップディスクの作成は行われない。一方、複製元ディスクがハイブリッドディスクであれば（Ｓ４でＹＥＳのルート）、複製元ディスクのＲＯＭ部の管理情報とＲＡＭ部の記録情報読み出す（Ｓ５）。次に、複製元ディスクを光ディスク装置２０から排出し、バックアップ先となる光ディスク（以下、複製先ディスクと記す）の光ディスク装置２０への挿入をユーザに促すためのメッセージを表示装置８６に表示する（Ｓ６）。次に、複製先ディスクが光ディスク装置２０に挿入されているか否かを判断する（Ｓ７）。光ディスク装置２０から複製先ディスクが挿入されたとの通知を受信すると（Ｓ７でＹＥＳのルート）、次に、光ディスク装置２０を介して複製先ディスクに記録されているディスク情報を取得する（Ｓ８）。次に、複製先ディスクのディスク情報を参照し、複製先ディスクがハイブリッドディスクであるか否かを判断する（Ｓ９）。ここで、複製先ディスクがハイブリッドディスクでなければ（Ｓ９でＮＯのルート）、複製先ディスクがハイブリッドディスクでない旨を示すメッセージを表示装置８６に表示し、処理を終了する。すなわち、バックアップディスクの作成は行われない。一方、複製先ディスクがハイブリッドディスクであれば（Ｓ９でＹＥＳのルート）、複製先ディスクのＲＯＭ部の管理情報を読み出し（Ｓ１０）、複製元と複製先の管理情報が同一か否かを判断する（Ｓ１１）。同一でなければ（Ｓ１１でＮＯのルート）、管理情報が異なる旨を示すメッセージを表示装置８６に表示し、処理を終了する。すなわち、バックアップディスクの作成は行われない。ステップＳ１１で同一であれば（Ｓ１１でＹＥＳのルート）、複製元のＲＡＭ部の記録情報を複製先のＲＡＭ部に記録して（Ｓ１２）、バックアップディスクの作成が正常に終了した旨を示すメッセージを表示装置８６に表示し、処理を終了する。
【００１４】
以上の説明から明らかなように、本実施形態に係るバックアップディスク作成装置では、マルチセッションにより記録された記録媒体のＲＯＭ部に記録された管理情報を比較することにより、バックアップが可能か否かを判断するものである。即ち、複製元の記録媒体の管理情報及びＲＡＭ部に記録されている記録情報を読み取り、更に複製先の記録媒体の管理情報を読み取り、両記録媒体の管理情報が一致した場合に限り、複製元の記録媒体のＲＡＭ部の記録情報を複製先の記録媒体のＲＡＭ部に記録するものである。これにより、複製元と複製先のハイブリッド記録媒体のＲＯＭ部に、同一の情報が記録されているかどうかを確認する方法が明らかになった。これにより他の記録媒体との互換性を保ちながらハイブリッド記録媒体のバックアップを作成することができる。
また管理情報の代わりに全セクタを読み込んで比較することにより、比較が容易となりまた比較の効率を高めることができる。
【００１５】
図８は本発明の第２の実施形態に係るバックアップディスク作成方法を説明するフローチャートである。
このフローチャートは、図１のＭＰＵ８２ａによって実行される一連の処理アルゴリズムに対応している。まずユーザが入力装置８５を介してバックアップディスクの作成を指示すると、図８のフローチャートに対応するプログラムがＨＤＤ８４からメインメモリ８２ｂにロードされるとともに、その先頭アドレスがＭＰＵ８２ａのプログラムカウンタにセットされ、処理がスタートする。複製元ディスクの光ディスク装置２０への挿入をユーザに促すためのメッセージを表示装置８６に表示する（Ｓ２１）。次に、複製元ディスクが光ディスク装置２０に挿入されているか否かを判断する（Ｓ２２）。光ディスク装置２０から複製元ディスクが挿入されたとの通知を受信すると（Ｓ２２でＹＥＳのルート）、光ディスク装置２０を介して複製元ディスクに記録されているディスク情報を取得する（Ｓ２３）。次に、複製元ディスクのディスク情報を参照し、複製元ディスクがハイブリッドディスクであるか否かを判断する（Ｓ２４）。ここで、複製元ディスクがハイブリッドディスクでなければ（Ｓ２４でＮＯのルート）、複製元ディスクがハイブリッドディスクでない旨を示すメッセージを表示装置８６に表示し、処理を終了する。すなわち、バックアップディスクの作成は行われない。一方、複製元ディスクがハイブリッドディスクであれば（Ｓ２４でＹＥＳのルート）、複製元ディスクのＲＯＭ部の記憶容量の取得とＲＡＭ部の記録情報を読み出す（Ｓ２５）。次に、複製元ディスクを光ディスク装置２０から排出し、複製先ディスクの光ディスク装置２０への挿入をユーザに促すためのメッセージを表示装置８６に表示する（Ｓ２６）。次に、複製先ディスクが光ディスク装置２０に挿入されているか否かを判断する（Ｓ２７）。光ディスク装置２０から複製先ディスクが挿入されたとの通知を受信すると（Ｓ２７でＹＥＳのルート）、次に、光ディスク装置２０を介して複製先ディスクに記録されているディスク情報を取得する（Ｓ２８）。次に、複製先ディスクのディスク情報を参照し、複製先ディスクがハイブリッドディスクであるか否かを判断する（Ｓ２９）。ここで、複製先ディスクがハイブリッドディスクでなければ（Ｓ２９でＮＯのルート）、複製先ディスクがハイブリッドディスクでない旨を示すメッセージを表示装置８６に表示し、処理を終了する。すなわち、バックアップディスクの作成は行われない。一方、複製先ディスクがハイブリッドディスクであれば（Ｓ２９でＹＥＳのルート）、複製先ディスクのＲＯＭ部の記憶容量を取得し（Ｓ３０）、複製元と複製先の記憶容量が同一か否かを判断する（Ｓ３１）。同一でなければ（Ｓ３１でＮＯのルート）、記憶容量が異なる旨を示すメッセージを表示装置８６に表示し、処理を終了する。すなわち、バックアップディスクの作成は行われない。ステップＳ３１で同一であれば（Ｓ３１でＹＥＳのルート）、複製元のＲＡＭ部の記録情報を複製先のＲＡＭ部に記録して（Ｓ３２）、バックアップディスクの作成が正常に終了した旨を示すメッセージを表示装置８６に表示し、処理を終了する。
以上の説明から明らかなように、マルチセッションにより記録された記録媒体のＲＯＭ部の記憶容量情報を比較することにより、バックアップが可能か否かを判断するものである。即ち、複製元の記録媒体の記憶容量情報及びＲＡＭ部に記録されている記録情報を読み取り、更に複製先の記録媒体の記憶容量情報を読み取り、両記録媒体の記憶容量情報が一致した場合に限り、複製元の記録媒体のＲＡＭ部の記録情報を複製先の記録媒体のＲＡＭ部に記録するものである。これにより、管理情報を比較する方法よりも短い時間で、ＲＯＭ部に記録されている情報の一致を確認することが可能となり、簡単な方法でしかも他の記録媒体との互換性を保ちながらハイブリッド記録媒体のバックアップを作成することができる。
【００１６】
図９は本発明の第３の実施形態に係るバックアップディスク作成方法を説明するフローチャートである。
このフローチャートは、図１のＭＰＵ８２ａによって実行される一連の処理アルゴリズムに対応している。まずユーザが入力装置８５を介してバックアップディスクの作成を指示すると、図９のフローチャートに対応するプログラムがＨＤＤ８４からメインメモリ８２ｂにロードされるとともに、その先頭アドレスがＭＰＵ８２ａのプログラムカウンタにセットされ、処理がスタートする。複製元ディスクの光ディスク装置２０への挿入をユーザに促すためのメッセージを表示装置８６に表示する（Ｓ４１）。次に、複製元ディスクが光ディスク装置２０に挿入されているか否かを判断する（Ｓ４２）。光ディスク装置２０から複製元ディスクが挿入されたとの通知を受信すると（Ｓ４２でＹＥＳのルート）、光ディスク装置２０を介して複製元ディスクに記録されているディスク情報を取得する（Ｓ４３）。次に、複製元ディスクのディスク情報を参照し、複製元ディスクがハイブリッドディスクであるか否かを判断する（Ｓ４４）。ここで、複製元ディスクがハイブリッドディスクでなければ（Ｓ４４でＮＯのルート）、複製元ディスクがハイブリッドディスクでない旨を示すメッセージを表示装置８６に表示し、処理を終了する。すなわち、バックアップディスクの作成は行われない。一方、複製元ディスクがハイブリッドディスクであれば（Ｓ４４でＹＥＳのルート）、複製元ディスクのＲＯＭ部の記憶容量及びＩＤの取得とＲＡＭ部の記録情報を読み出す（Ｓ４５）。次に、複製元ディスクを光ディスク装置２０から排出し、複製先ディスクの光ディスク装置２０への挿入をユーザに促すためのメッセージを表示装置８６に表示する（Ｓ４６）。次に、複製先ディスクが光ディスク装置２０に挿入されているか否かを判断する（Ｓ４７）。光ディスク装置２０から複製先ディスクが挿入されたとの通知を受信すると（Ｓ４７でＹＥＳのルート）、次に、光ディスク装置２０を介して複製先ディスクに記録されているディスク情報を取得する（Ｓ４８）。次に、複製先ディスクのディスク情報を参照し、複製先ディスクがハイブリッドディスクであるか否かを判断する（Ｓ４９）。ここで、複製先ディスクがハイブリッドディスクでなければ（Ｓ４９でＮＯのルート）、複製先ディスクがハイブリッドディスクでない旨を示すメッセージを表示装置８６に表示し、処理を終了する。すなわち、バックアップディスクの作成は行われない。一方、複製先ディスクがハイブリッドディスクであれば（Ｓ４９でＹＥＳのルート）、複製先ディスクのＲＯＭ部の記憶容量及びＩＤを取得し（Ｓ５０）、複製元と複製先の記憶容量及びＩＤが同一か否かを判断する（Ｓ５１）。同一でなければ（Ｓ５１でＮＯのルート）、記憶容量が異なる旨を示すメッセージを表示装置８６に表示し、処理を終了する。すなわち、バックアップディスクの作成は行われない。ステップＳ５１で同一であれば（Ｓ５１でＹＥＳのルート）、複製元のＲＡＭ部の記録情報を複製先のＲＡＭ部に記録して（Ｓ５２）、バックアップディスクの作成が正常に終了した旨を示すメッセージを表示装置８６に表示し、処理を終了する。尚、ここで説明したＩＤは図６に示すようにProgram Area４の管理情報４ａとは別にＩＤ４ｂの部分に存在する。
【００１７】
以上の説明から明らかなように、マルチセッションにより記録された記録媒体のＲＯＭ部の記憶容量情報及びＩＤ情報を比較することにより、バックアップが可能か否かを判断するものである。即ち、複製元の記録媒体の記憶容量情報及びＩＤ情報とユーザ領域に記録されている記録情報を読み取り、更に複製先の記録媒体の記憶容量情報及びＩＤ情報を読み取り、両記録媒体の記憶容量情報及びＩＤ情報が一致した場合に限り、複製元の記録媒体のＲＡＭ部の記録情報を複製先の記録媒体のＲＡＭ部に記録するものである。これにより、ＲＯＭ部の記憶容量を比較する方法に比べて、ＲＯＭ部に記録されている情報一致の確認精度を向上させることができる。
尚、本発明はこれに限定されるものではないことは勿論である。すなわち、上記実施形態は一例に過ぎず、上記のＭＰＵ８２ａによるプログラムに従う処理によって実現した構成各部の少なくとも一部をハードウェアによって構成することとしても良いし、あるいは全ての構成部分をハードウェアによって構成することとしても良い。
【図面の簡単な説明】
【００１８】
【図１】本発明の一実施形態に係るバックアップディスク作成装置の概略構成図。
【図２】光ピックアップ装置の構成図。
【図３】ハイブリッドディスクの説明図。
【図４】光ディスク（例としてＣＤをあげる）の物理フォーマットを表す図。
【図５】ＣＤで良く用いられるＩＳＯ９６６０を用いたファイル・ディレクトリ情報の管理形態の一例を示す図。
【図６】Program Areaの内容を詳細に説明する図。
【図７】本発明の第１の実施形態に係るバックアップディスク作成方法を説明するフローチャート。
【図８】本発明の第２の実施形態に係るバックアップディスク作成方法を説明するフローチャート。
【図９】本発明の第３の実施形態に係るバックアップディスク作成方法を説明するフローチャート。
【符号の説明】
【００１９】
１０  バックアップディスク作成装置、２０  光ディスク装置、１５光ディスク、２２  スピンドルモータ、２３  光ピックアップ装置、２４  レーザコントロール回路、２５  エンコーダ、２７  モータドライバ、２８  再生信号処理回路、３３  サーボコントローラ、３４  バッファＲＡＭ、３７  バッファマネージャ、３８  インターフェース、３９  ＲＯＭ、４０  ＣＰＵ、４１  ＲＡＭ、８０  ホスト
【図１】
2006127642.tif 000003
【図２】
2006127642.tif 000004
【図３】
2006127642.tif 000005
【図４】
2006127642.tif 000006
【図５】
2006127642.tif 000007
【図６】
2006127642.tif 000008
【図７】
2006127642.tif 000009
【図８】
2006127642.tif 000010
【図９】
2006127642.tif 000011